(57)【要約】      （修正有）【課題】商品の代金を決済する際にユーザ端末が店舗端末に表示されたクーポンを読み取るシステムにおいて、店舗の負担を軽減できるようにする情報処理装置及び情報処理方法を提供する。【解決手段】特典提供装置１は、ユーザ識別情報を含むクーポン適用要求を受信するクーポン適用要求受信部１１４と、店舗において決済用コードを読み取ったユーザ端末２からユーザ識別情報とクーポン識別情報との少なくとも一方を含む決済要求を受信する決済要求受信部１１７。クーポン識別情報に関連付けられた前記クーポンが有効であるか否かを判定する有効性判定部１１５と、クーポンが有効であると前記判定部が判定した場合に、クーポンによる特典を、ユーザに提供する特典提供部１１８と、を有する。【選択図】図２
2020154682.tif 000002
【特許請求の範囲】
【請求項１】
ユーザ識別情報を含むクーポン適用要求を、ユーザが利用するユーザ端末から受信する第１受信部と、
店舗において決済用コードを読み取った前記ユーザ端末から、前記ユーザ識別情報と前記ユーザ識別情報に関連付けられた前記ユーザに付与されているクーポンに関連付けられたクーポン識別情報との少なくとも一方を含む決済要求を受信する第２受信部と、
前記クーポン識別情報に関連付けられた前記クーポンが有効であるか否かを判定する判定部と、
前記クーポンが有効であると前記判定部が判定した場合に、前記クーポン識別情報に関連付けられた前記クーポンによる特典を、前記ユーザ識別情報に関連付けられた前記ユーザに提供する特典提供部と、
を有する情報処理装置。
【請求項２】
前記第１受信部は、前記クーポン識別情報を含む前記クーポン適用要求を前記ユーザ端末から受信し、
前記判定部は、前記クーポン適用要求が含む前記クーポン識別情報を特定する、請求項１に記載の情報処理装置。
【請求項３】
前記判定部は、記憶部において前記クーポン適用要求が含む前記ユーザ識別情報に予め関連付けられた前記クーポン識別情報を特定する、請求項１に記載の情報処理装置。
【請求項４】
前記判定部が特定した前記クーポン識別情報に関連付けられた前記クーポンを表示するための情報を、前記ユーザ端末へ送信する送信部をさらに有する、請求項３に記載の情報処理装置。
【請求項５】
前記判定部は、前記第１受信部が前記クーポン適用要求を受信した際に、前記クーポン適用要求が含む前記ユーザ識別情報に関連付けられた前記ユーザに付与されている前記クーポンが有効であるか否かを判定する、請求項１から４のいずれか一項に記載の情報処理装置。
【請求項６】
前記判定部は、前記第２受信部が前記決済要求を受信した際に、前記決済要求が含む前記ユーザ識別情報に対応する前記クーポン識別情報又は前記決済要求が含む前記クーポン識別情報に関連付けられた前記クーポンが有効であるか否かを判定しない、請求項５に記載の情報処理装置。
【請求項７】
前記判定部は、前記第２受信部が前記決済要求を受信した際に、前記決済要求が含む前記ユーザ識別情報に対応する前記クーポン識別情報又は前記決済要求が含む前記クーポン識別情報に関連付けられた前記クーポンが有効であるか否かを再判定し、
前記特典提供部は、前記第１受信部が前記クーポン適用要求を受信した際、及び、前記第２受信部が前記決済要求を受信した際ともに、前記クーポンが有効であると前記判定部が判定した場合に、前記クーポン識別情報に関連付けられた前記クーポンによる特典を、前記ユーザ識別情報に関連付けられた前記ユーザに提供する、請求項５に記載の情報処理装置。
【請求項８】
前記判定部は、前記第１受信部が前記クーポン適用要求を受信した際に、前記クーポン適用要求が含む前記ユーザ識別情報に関連付けられた前記ユーザに付与されている前記クーポンが有効であるか否かを判定せず、前記第２受信部が前記決済要求を受信した際に、前記決済要求が含む前記ユーザ識別情報に対応する前記クーポン識別情報又は前記決済要求が含む前記クーポン識別情報に関連付けられた前記クーポンが有効であるか否かを判定する、請求項１から４のいずれか一項に記載の情報処理装置。
【請求項９】
前記店舗を識別する店舗識別情報に関連付けられたトークンを生成する生成部をさらに有し、
前記判定部は、前記決済要求が含む前記トークンに関連付けられた前記店舗識別情報が、前記クーポン識別情報に関連付けられた前記店舗識別情報に対応することを条件として、前記クーポンが有効であると判定する、請求項７又は８に記載の情報処理装置。
【請求項１０】
商品を識別する商品識別情報に関連付けられたトークンを生成する生成部をさらに有し、
前記判定部は、前記決済要求が含む前記トークンに関連付けられた前記商品識別情報が、前記クーポン識別情報に関連付けられた前記商品識別情報に対応することを条件として、前記クーポンが有効であると判定する、請求項７から９のいずれか一項に記載の情報処理装置。
【請求項１１】
前記クーポンが有効であると前記判定部が判定した場合に、前記決済要求が含む決済対象の商品の価格から、前記特典提供部が決定した前記特典が示す金額を減算した決済金額の決済を行う決済実行部をさらに有する、請求項１から１０のいずれか一項に記載の情報処理装置。
【請求項１２】
前記決済実行部は、前記クーポンが有効であると前記判定部が判定した場合に、前記決済要求が含む決済対象の商品の価格から、前記特典提供部が決定した前記特典が示す金額を減算した決済金額に基づいて、前記店舗に対する手数料を示す情報を出力する、請求項１１に記載の情報処理装置。
【請求項１３】
プロセッサが実行する、
ユーザ識別情報を含むクーポン適用要求を、ユーザが利用するユーザ端末から受信するステップと、
店舗において決済用コードを読み取った前記ユーザ端末から、前記ユーザ識別情報と前記ユーザ識別情報に関連付けられた前記ユーザに付与されているクーポンに関連付けられたクーポン識別情報との少なくとも一方を含む決済要求を受信するステップと、
前記クーポン識別情報に関連付けられた前記クーポンが有効であるか否かを判定するステップと、
前記クーポンが有効であると前記判定するステップが判定した場合に、前記クーポン識別情報に関連付けられた前記クーポンによる特典を、前記ユーザ識別情報に関連付けられた前記ユーザに提供するステップと、
を有する情報処理方法。
【請求項１４】
前記判定するステップは、
前記クーポン適用要求を受信するステップが前記クーポン適用要求を受信した際に、前記クーポン適用要求が含む前記ユーザ識別情報に関連付けられた前記ユーザに付与されている前記クーポンが有効であるか否かを判定する第１ステップと、
前記決済要求を受信するステップが前記決済要求を受信した際に、前記決済要求が含む前記ユーザ識別情報に対応する前記クーポン識別情報又は前記決済要求が含む前記クーポン識別情報に関連付けられた前記クーポンが有効であるか否かを再判定する第２ステップと、
を含み、
前記特典を提供するステップは、前記第１ステップ及び前記第２ステップともに、前記クーポンが有効であると判定した場合に、前記クーポン識別情報に関連付けられた前記クーポンによる特典を、前記ユーザ識別情報に関連付けられた前記ユーザに提供する、請求項１３に記載の情報処理方法。
【発明の詳細な説明】
【技術分野】
【０００１】
本発明は、クーポンを利用して決済をする処理を行うための情報処理装置及び情報処理方法に関する。
【背景技術】
【０００２】
従来、ユーザが有するユーザ端末に表示されたクーポンのコードを店舗に設置された店舗端末が読み取り、クーポンが適用可能である場合に商品の代金に対して値引きを行うシステムが知られている（例えば特許文献１参照）。
【先行技術文献】
【特許文献】
【０００３】
【特許文献１】特開２００２−２６００９９号公報
【発明の概要】
【発明が解決しようとする課題】
【０００４】
特許文献１に記載されたシステムでは、店舗端末を管理するホストコンピュータがユーザ端末へクーポンを配信し、店舗端末がクーポンを読み取って適用可否を判定する。このような特許文献１に記載されたシステムを、店舗端末に表示されたクーポンをユーザ端末が読み取るように構成することも考えられる。この場合に、店舗端末は、クーポンの適用可否を判定した上で、クーポンを表示する必要がある。そのため、店舗端末には、クーポンの適用可否を判定する処理をするための負担が掛かる。また、店舗の管理者には、クーポンの情報を店舗端末及びホストコンピュータ上で管理するために大きな負担が掛かる。
【０００５】
本発明は上述の点に鑑みてなされたものであり、商品の代金を決済する際にユーザ端末が店舗端末に表示されたクーポンを読み取るシステムにおいて、店舗の負担を軽減することを目的とする。
【課題を解決するための手段】
【０００６】
本発明の第１の態様の情報処理装置は、ユーザ識別情報を含むクーポン適用要求を、ユーザが利用するユーザ端末から受信する第１受信部と、店舗において決済用コードを読み取った前記ユーザ端末から、前記ユーザ識別情報と前記ユーザ識別情報に関連付けられた前記ユーザに付与されているクーポンに関連付けられたクーポン識別情報との少なくとも一方を含む決済要求を受信する第２受信部と、前記クーポン識別情報に関連付けられた前記クーポンが有効であるか否かを判定する判定部と、前記クーポンが有効であると前記判定部が判定した場合に、前記クーポン識別情報に関連付けられた前記クーポンによる特典を、前記ユーザ識別情報に関連付けられた前記ユーザに提供する特典提供部と、を有する。
【０００７】
本発明の第２の態様の情報処理方法は、プロセッサが実行する、ユーザ識別情報を含むクーポン適用要求を、ユーザが利用するユーザ端末から受信するステップと、店舗において決済用コードを読み取った前記ユーザ端末から、前記ユーザ識別情報と前記ユーザ識別情報に関連付けられた前記ユーザに付与されているクーポンに関連付けられたクーポン識別情報との少なくとも一方を含む決済要求を受信するステップと、前記クーポン識別情報に関連付けられた前記クーポンが有効であるか否かを判定するステップと、前記クーポンが有効であると前記判定するステップが判定した場合に、前記クーポン識別情報に関連付けられた前記クーポンによる特典を、前記ユーザ識別情報に関連付けられた前記ユーザに提供するステップと、を有する。
【発明の効果】
【０００８】
本発明によれば、商品の代金を決済する際にユーザ端末が店舗端末に表示されたクーポンを読み取るシステムにおいて、店舗の負担を軽減できるという効果を奏する。
【図面の簡単な説明】
【０００９】
【図１】実施形態に係る決済システムの模式図である。
【図２】実施形態に係る特典提供装置のブロック図である。
【図３】実施形態に係るユーザ端末及び店舗端末のブロック図である。
【図４】クーポン情報、トークン情報及び有効性情報の模式図である。
【図５】決済画面を表示している店舗端末の表示部の正面図である。
【図６】クーポン選択画面を表示しているユーザ端末の正面図である。
【図７】コード読み取り画面を表示しているユーザ端末の正面図である。
【図８】実施形態に係る決済システムが実行する決済方法のシーケンス図である。
【図９】変形例に係る決済方法のシーケンス図である。
【図１０】変形例に係る決済方法のシーケンス図である。
【発明を実施するための形態】
【００１０】
［決済システムＳの概要］
図１は、本実施形態に係る決済システムＳ（情報処理システム）の模式図である。決済システムＳは、特典提供装置１と、ユーザ端末２と、店舗端末３と、決済サーバ４とを含む。決済システムＳは、その他のサーバ、端末等の機器を含んでもよい。
【００１１】
特典提供装置１（情報処理装置）は、ユーザに付与されている電子的なクーポンの有効性を判定し、ユーザに対してクーポンによる特典を提供するコンピュータである。ユーザは、小売店等の店舗の顧客である。特典提供装置１は、インターネット、ローカルエリアネットワーク等のネットワークを介して、ユーザ端末２、店舗端末３及び決済サーバ４と通信可能である。
【００１２】
ユーザ端末２は、ユーザの操作を受け付けるとともに、様々な情報を表示するコンピュータである。また、ユーザ端末２は、店舗端末３が提示した決済用コードを読み取る機能を有する。ユーザ端末２は、例えばスマートフォン、タブレット端末等の携帯端末である。店舗端末３は、店舗の中に設置されており、ユーザが購入する商品の情報を読み取るコンピュータである。店舗端末３は、例えばＰＯＳ（Point Of Sale）端末、又は店舗の店員が有する通信端末である。決済サーバ４は、ユーザが購入する商品の代金を決済するコンピュータである。商品は、ユーザが代金を支払って購入可能な物品又はサービスである。
【００１３】
本実施形態に係る決済システムＳがクーポンを適用して決済を行う処理の概要を以下に説明する。特典提供装置１は、予めユーザに対してクーポンを付与し、ユーザを識別するためのユーザＩＤと、クーポンを識別するためのクーポンＩＤとを関連付けて、記憶部に記憶している。ユーザＩＤは、ユーザごとに割り振られてもよく、ユーザ端末２ごとに割り振られてもよい。クーポンは、ユーザが商品の購入時に利用することによって、ユーザに所定の特典を提供するものである。クーポンによる特典は、例えば商品の代金の値引き、景品の提供、ポイントの付与等である。ユーザは、所望のタイミングで、ユーザに付与されているクーポンを利用して商品を購入できる。
【００１４】
ユーザは、店舗で商品を購入する際に、購入したい商品を店舗端末３に提示する。店舗端末３は、ユーザが購入する商品の価格を含む商品情報を取得した後、ユーザが購入する商品の決済金額等の決済情報と、店舗を識別するための店舗ＩＤとを含む決済用トークン要求を、特典提供装置１へ送信する（ａ）。
【００１５】
特典提供装置１は、決済用トークン要求を受信すると、決済用トークンを生成し、決済用トークン要求が含む店舗ＩＤ及び決済情報と関連付けて記憶部に記憶させる。特典提供装置１は、生成した決済用トークンを、決済用トークン要求の送信元である店舗端末３へ送信する（ｂ）。店舗端末３は、受信した決済用トークンに基づいて、決済用コードを生成し、表示部に表示させる（ｃ）。決済用コードは、ユーザ端末２が読み取り可能な文字列又は画像である。
【００１６】
ユーザは、店舗端末３に表示された決済用コードをユーザ端末２に読み取らせる前に、ユーザ端末２において利用したいクーポンを選択する操作を行う。ユーザ端末２は、ユーザ端末２に関連付けられたユーザＩＤと、選択されたクーポンに関連付けられたクーポンＩＤとを含むクーポン適用要求を、特典提供装置１へ送信する（ｄ）。
【００１７】
特典提供装置１は、受信したクーポン適用要求が含むユーザＩＤ及びクーポンＩＤに基づいて、クーポンが有効か否かを判定する（ｅ）。このとき特典提供装置１は、例えばクーポンの有無、クーポンの利用可否及びクーポンの有効期限に基づいて、クーポンの有効性を判定する。特典提供装置１は、クーポンが有効であれば、ユーザＩＤとクーポンＩＤとを関連付けて記憶部に記憶させる。特典提供装置１は、クーポンの有効性の判定結果を、クーポン適用要求の送信元であるユーザ端末２へ送信する（ｆ）。ユーザ端末２は、受信した判定結果を、表示部に表示させる。
【００１８】
ユーザは、店舗端末３に表示された決済用コードを、ユーザ端末２に読み取らせる。ユーザ端末２は、店舗端末３に表示された決済用コードを、撮像部を用いて読み取る（ｇ）。ユーザ端末２は、読み取った決済用コードを復号することによって、決済用コードが示す決済用トークンを取得する。ユーザ端末２は、ユーザＩＤと、読み取った決済用コードが示す決済用トークンとを含む決済要求を、特典提供装置１へ送信する（ｈ）。
【００１９】
特典提供装置１は、受信した決済要求が含む決済用トークンを記憶部から検索する。特典提供装置１は、受信した決済要求が含む決済用トークンを記憶部上で発見した場合に、該決済用トークンに対応する決済情報を特定する。また、特典提供装置１は、受信した決済要求が含むユーザＩＤを記憶部から検索する。特典提供装置１は、受信した決済要求が含むユーザＩＤを記憶部上で発見した場合に、該ユーザＩＤに対応するクーポンＩＤを特定する。
【００２０】
特典提供装置１は、特定したクーポンＩＤのクーポンが有効か否かを再判定する（ｉ）。このとき特典提供装置１は、例えばクーポンの有無、クーポンの利用可否、クーポンの有効期限及び店舗ＩＤに基づいて、クーポンの有効性を判定する。特典提供装置１は、受信した決済要求が含むユーザＩＤに対応するクーポンＩＤのクーポンが有効であると判定した場合に、クーポンによる特典をユーザに提供し、受信した決済要求が含む決済用トークンに対応する決済情報の決済金額を、ユーザＩＤに関連付けて決済サーバ４へ送信する（ｊ）。ここで特典提供装置１は、クーポンによる特典が値引きである場合に、決済金額からクーポンによる値引き金額を減算して、決済サーバ４へ送信する。
【００２１】
決済サーバ４は、特典提供装置１から受信した決済金額が、ユーザが支払い可能な残高（例えばクレジット残高又はプリペイド残高）の範囲内である場合に決済処理をし、そうでない場合に決済処理をしない。決済サーバ４は、決済をしたか否かを示す決済結果を特典提供装置１へ送信する。特典提供装置１は、決済サーバ４から受信した決済結果を、店舗端末３へ通知する（ｋ）。
【００２２】
このように本実施形態に係る決済システムＳにおいて、店舗端末３ではなく特典提供装置１が、クーポンの有効性を判定する処理及びクーポンを適用する処理を実行する。これにより、店舗端末３の処理負担を軽減でき、店舗端末３の処理性能を向上させるためのコストが必要ない。また、店舗の管理者が店舗端末３にクーポンの情報を登録する必要がないため、店舗の管理者の管理負担を軽減できる。
【００２３】
［決済システムＳの構成］
図２は、本実施形態に係る特典提供装置１のブロック図である。図３は、本実施形態に係るユーザ端末２及び店舗端末３のブロック図である。図２、図３において、矢印は主なデータの流れを示しており、図２、図３に示したもの以外のデータの流れがあってよい。図２、図３において、各ブロックはハードウェア（装置）単位の構成ではなく、機能単位の構成を示している。そのため、図２、図３に示すブロックは単一の装置内に実装されてよく、あるいは複数の装置内に分かれて実装されてよい。ブロック間のデータの授受は、データバス、ネットワーク、可搬記憶媒体等、任意の手段を介して行われてよい。
【００２４】
特典提供装置１は、制御部１１と、記憶部１２とを有する。制御部１１は、決済用トークン要求受信部１１１と、トークン生成部１１２と、トークン送信部１１３と、クーポン適用要求受信部１１４と、有効性判定部１１５と、判定結果送信部１１６と、決済要求受信部１１７と、特典提供部１１８と、決済実行部１１９とを有する。記憶部１２は、クーポン記憶部１２１と、トークン記憶部１２２と、有効性情報記憶部１２３とを有する。
【００２５】
記憶部１２は、ＲＯＭ（Read Only Memory）、ＲＡＭ（Random Access Memory）、ハードディスクドライブ等を含む記憶媒体である。記憶部１２は、制御部１１が実行するプログラムを予め記憶している。記憶部１２は、特典提供装置１の外部に設けられてもよく、その場合にネットワークを介して制御部１１との間でデータの授受を行ってもよい。クーポン記憶部１２１は、ユーザに付与されているクーポンに関するクーポン情報を記憶する。トークン記憶部１２２は、決済情報に関連付けられたトークンを示すトークン情報を記憶する。有効性情報記憶部１２３は、有効と判定されたクーポンを示す有効性情報を記憶する。クーポン記憶部１２１、トークン記憶部１２２及び有効性情報記憶部１２３は、それぞれ記憶部１２上の記憶領域であってもよく、あるいは記憶部１２上で構成されたデータベースであってもよい。
【００２６】
制御部１１は、例えばＣＰＵ（Central Processing Unit）等のプロセッサであり、記憶部１２に記憶されたプログラムを実行することにより、決済用トークン要求受信部１１１、トークン生成部１１２、トークン送信部１１３、クーポン適用要求受信部１１４、有効性判定部１１５、判定結果送信部１１６、決済要求受信部１１７、特典提供部１１８及び決済実行部１１９として機能する。制御部１１の機能の少なくとも一部は電気回路によって実行されてもよい。また、制御部１１の機能の少なくとも一部はネットワーク経由で実行されるプログラムによって実行されてもよい。
【００２７】
ユーザ端末２は、制御部２１と、記憶部２２と、操作部２３と、表示部２４と、撮像部２５とを有する。制御部２１は、送信部２１１と、受信部２１２と、コード読取部２１３とを有する。操作部２３は、キーボード、マウス等、ユーザの操作によって情報を入力可能な操作装置を含む。表示部２４は、液晶ディスプレイ等、情報を表示可能な表示装置を含む。表示部２４としてユーザによる接触の位置を検出可能なタッチスクリーンを用いることによって、操作部２３と表示部２４とを一体に構成してもよい。撮像部２５は、所定の撮像範囲を撮像する撮像装置（カメラ、スキャナ等）を含む。撮像部２５は、撮像した撮像画像を示す信号を制御部２１に入力する。
【００２８】
記憶部２２は、ＲＯＭ、ＲＡＭ、ハードディスクドライブ等を含む記憶媒体である。記憶部２２は、制御部２１が実行するプログラムを予め記憶している。記憶部２２は、ユーザ端末２の外部に設けられてもよく、その場合にネットワークを介して制御部２１との間でデータの授受を行ってもよい。
【００２９】
制御部２１は、例えばＣＰＵ等のプロセッサであり、記憶部２２に記憶されたプログラムを実行することにより、送信部２１１、受信部２１２及びコード読取部２１３として機能する。制御部２１の機能の少なくとも一部は電気回路によって実行されてもよい。また、制御部２１の機能の少なくとも一部はネットワーク経由で実行されるプログラムによって実行されてもよい。
【００３０】
店舗端末３は、制御部３１と、記憶部３２と、表示部３３とを有する。制御部３１は、商品情報取得部３１１と、送信部３１２と、受信部３１３とを有する。表示部３３は、液晶ディスプレイ等、情報を表示可能な表示装置を含む。記憶部３２は、ＲＯＭ、ＲＡＭ、ハードディスクドライブ等を含む記憶媒体である。記憶部３２は、制御部３１が実行するプログラムを予め記憶している。記憶部３２は、店舗端末３の外部に設けられてもよく、その場合にネットワークを介して制御部３１との間でデータの授受を行ってもよい。
【００３１】
制御部３１は、例えばＣＰＵ等のプロセッサであり、記憶部３２に記憶されたプログラムを実行することにより、商品情報取得部３１１、送信部３１２及び受信部３１３として機能する。制御部３１の機能の少なくとも一部は電気回路によって実行されてもよい。また、制御部３１の機能の少なくとも一部はネットワーク経由で実行されるプログラムによって実行されてもよい。
【００３２】
本実施形態に係る決済システムＳは、図２及び図３に示す具体的な構成に限定されない。特典提供装置１、ユーザ端末２、店舗端末３及び決済サーバ４は、それぞれ２つ以上の物理的に分離した装置が有線又は無線で接続されることにより構成されてもよい。
【００３３】
［決済方法の説明］
以下、本実施形態に係る決済システムＳが実行する決済方法を詳細に説明する。特典提供装置１のクーポン記憶部１２１は、ユーザに付与されているクーポンに関するクーポン情報を予め記憶している。
【００３４】
図４（ａ）は、クーポン記憶部１２１が記憶するクーポン情報Ｄ１の模式図である。クーポン情報Ｄ１は、互いに関連付けられた、ユーザを識別するためのユーザＩＤ（ユーザ識別情報）と、ユーザに付与されているクーポンを識別するためのクーポンＩＤ（クーポン識別情報）と、特典と、利用可否と、有効期限と、店舗を識別するための店舗ＩＤ（店舗識別情報）とを含む。特典は、クーポンを利用して決済をしたユーザに提供される特典を示す。例えば特典は、商品の代金の値引き、景品の提供、ポイントの付与等である。利用可否は、クーポンが利用可能か否かを示す。例えば一度のみ利用可能なクーポンについては、クーポンがまだ利用されていない場合に「可」と設定され、クーポンが利用された場合に「不可」と設定される。
【００３５】
有効期限は、クーポンが利用可能な期限を示す。図４（ａ）の例において、有効期限は終了時のみを示しているが、終了時に加えて開始時を示してもよい。店舗ＩＤは、クーポンを利用可能な店舗を示す。店舗ＩＤは、店舗ごとに固有の識別情報、又は複数の店舗のグループ（加盟店）に対して割り振られた識別情報である。クーポン情報Ｄ１は、複数の店舗ＩＤを含んでもよい。店舗によらず利用可能なクーポンについては、店舗ＩＤは省略される。
【００３６】
図４（ａ）においてクーポン情報Ｄ１は視認性のために文字列の表で表されているが、各データは任意の形式で記録されてもよく、例えば文字列データ、数値データおよびバイナリデータのいずれでもよい。クーポン情報Ｄ１は、データベースとして記録されてもよく、あるいはデータを列挙したリストとして記録されてもよい。
【００３７】
ユーザは、店舗で商品を購入する際に、購入したい商品を店舗端末３に提示する。店舗端末３において、商品情報取得部３１１は、ユーザが購入したい商品の価格を含む商品情報を取得する。例えば商品情報取得部３１１は、撮像部を用いて商品に付されたバーコードを読み取ることによって、商品情報を取得する。商品情報取得部３１１は、店舗の店員が入力した商品情報を取得してもよい。
【００３８】
送信部３１２は、商品情報取得部３１１が取得した商品情報に基づいて商品の価格を合計して決済金額を算出し、算出した決済金額を示す決済情報と、店舗端末３を管理する店舗の店舗ＩＤとを含む決済用トークン要求（トークン要求）を、特典提供装置１へ送信する。決済情報は、決済金額に加えて、決済対象の商品の名称等の決済に関する情報をさらに含んでもよい。
【００３９】
特典提供装置１において、決済用トークン要求受信部１１１は、決済用トークン要求を店舗端末３から受信する。決済用トークン要求受信部１１１が決済用トークン要求を受信したことを条件として、トークン生成部１１２は、決済用トークンを生成する。決済用トークンは、無作為なデータであってもよく、あるいは所定の規則に従って生成されたデータであってもよい。トークン生成部１１２は、決済用トークン要求が含む店舗ＩＤ及び決済情報と、生成した決済用トークンとを関連付けてトークン記憶部１２２に記憶させる。
【００４０】
図４（ｂ）は、トークン記憶部１２２が記憶するトークン情報Ｄ２の模式図である。トークン情報Ｄ２は、互いに関連付けられた、店舗ＩＤと、決済用トークンと、決済情報（ここでは決済金額）とを含む。図４（ｂ）においてトークン情報Ｄ２は視認性のために文字列の表で表されているが、各データは任意の形式で記録されてもよく、例えば文字列データ、数値データおよびバイナリデータのいずれでもよい。トークン情報Ｄ２は、データベースとして記録されてもよく、あるいはデータを列挙したリストとして記録されてもよい。
【００４１】
トークン送信部１１３は、トークン生成部１１２が生成した決済用トークンを、店舗端末３へ送信する。店舗端末３の受信部３１３は、決済用トークンを、特典提供装置１から受信する。受信部３１３は、受信した決済用トークンを所定の方法で符号化することによって、決済用コードを生成する。決済用コードは、例えばバーコードであってもよく、二次元コードであってもよく、文字列であってもよく、それらのうち複数であってもよい。決済用コードは、ユーザ端末２が読み取り可能であればその他の形態であってもよい。そして受信部３１３は、生成した決済用コードを提示する決済画面を、表示部３３上に表示する。
【００４２】
図５は、決済画面を表示している店舗端末３の表示部３３の正面図である。決済画面は、決済用コード３３１を含む。決済用コード３３１は、特典提供装置１から受信した決済用トークンを示す決済用コードである。
【００４３】
ユーザは、店舗端末３に表示された決済用コードをユーザ端末２に読み取らせる前に、ユーザ端末２上で、決済を行うアプリケーションソフトウェアを起動する。そしてユーザ端末２は、クーポンを選択するためのクーポン選択画面を、表示部２４上に表示する。
【００４４】
図６は、クーポン選択画面を表示しているユーザ端末２の正面図である。クーポン選択画面は、ユーザに付与されているクーポン２４１と、選択を確定するためのボタン２４２とを含む。図５（ｂ）の例では、ユーザ端末２は、クーポン２４１として特典の内容を表示しているが、これに加えてクーポンの有効期限を表示してもよい。ユーザ端末２は、クーポン選択画面の表示時に予めユーザ端末２の記憶部２２に記憶されたクーポン２４１の情報を読み出してもよく、あるいはクーポン選択画面の表示時に特典提供装置１からクーポン２４１の情報を受信してもよい。クーポン２４１は、ユーザによる操作に応じて選択又は非選択を切り替え可能である。複数のクーポン２４１のうち、いずれか１つのみが選択可能であってもよく、複数が選択可能であってもよい。
【００４５】
ボタン２４２は、ユーザが押下可能な仮想的なボタン（アイコン）である。ユーザは、ユーザ端末２の操作部２３を用いて、利用したいクーポン２４１を選択した後、ボタン２４２を押下する。ユーザ端末２の送信部２１１は、ユーザ端末２に関連付けられたユーザＩＤと、ユーザによって選択されたクーポンに関連付けられたクーポンＩＤとを含むクーポン適用要求を、特典提供装置１へ送信する。
【００４６】
クーポン選択画面は、有効なクーポン２４１のみを含んでもよい。この場合に、ユーザ端末２は、クーポン選択画面の表示時にクーポン２４１が有効であるか否かの問い合わせを特典提供装置１へ送信する。特典提供装置１において、後述の有効性判定部１１５はクーポン２４１が有効であるか否かを判定し、判定結果をユーザ端末２へ送信する。ユーザ端末２は、有効であると判定されたクーポン２４１を含むクーポン選択画面を表示する。
【００４７】
特典提供装置１において、クーポン適用要求受信部１１４（第１受信部）は、クーポン適用要求をユーザ端末２から受信する。有効性判定部１１５は、クーポン適用要求受信部１１４が受信したクーポン適用要求が含むユーザＩＤ及びクーポンＩＤを特定する。有効性判定部１１５は、特定したユーザＩＤ及びクーポンＩＤに基づいて、クーポンが有効であるか否かを判定する。クーポン適用要求が複数のクーポンＩＤを含む場合には、有効性判定部１１５は、複数のクーポンＩＤそれぞれが有効であるか否かを判定する。
【００４８】
具体的には、有効性判定部１１５は、クーポン記憶部１２１から、クーポン適用要求が含むユーザＩＤ及びクーポンＩＤに関連付けられたクーポン情報を取得する。有効性判定部１１５は、ユーザＩＤ及びクーポンＩＤに関連付けられたクーポン情報がクーポン記憶部１２１に記憶されていない場合に、クーポンが有効でないと判定する。また、有効性判定部１１５は、クーポン情報が含む利用可否が、クーポンが利用可能でないと示している場合に、クーポンが有効でないと判定する。また、有効性判定部１１５は、現在時刻が、クーポン情報が含む有効期限の範囲外である場合に、クーポンが有効でないと判定する。
【００４９】
有効性判定部１１５は、ユーザＩＤ及びクーポンＩＤに関連付けられたクーポン情報がクーポン記憶部１２１に記憶されており、かつクーポン情報が含む利用可否が、クーポンが利用可能であると示しており、かつ現在時刻（判定時の時刻）が、クーポン情報が含む有効期限の範囲内である場合に、クーポンが有効であると判定する。ここに示したクーポンの有効性の判定基準は一例であり、有効性判定部１１５はその他の判定基準によってクーポンが有効であるか否かを判定してもよい。有効性判定部１１５は、利用可否及び有効期限のどちらか一方のみを判定に用いてもよい。
【００５０】
有効性判定部１１５は、クーポンが有効であると判定した場合に、ユーザＩＤとクーポンＩＤとを関連付けた有効性情報を、有効性情報記憶部１２３に記憶させる。図４（ｃ）は、有効性情報記憶部１２３が記憶する有効性情報Ｄ３の模式図である。有効性情報Ｄ３は、互いに関連付けられた、ユーザＩＤと、クーポンＩＤとを含む。
【００５１】
図４（ｃ）において有効性情報Ｄ３は視認性のために文字列の表で表されているが、各データは任意の形式で記録されてもよく、例えば文字列データ、数値データおよびバイナリデータのいずれでもよい。有効性情報Ｄ３は、データベースとして記録されてもよく、あるいはデータを列挙したリストとして記録されてもよい。
【００５２】
有効性情報Ｄ３は、有効性判定部１１５によってクーポンが有効であると判定された場合のユーザＩＤ及びクーポンＩＤの組を記憶する。そのため、ユーザＩＤ及びクーポンＩＤが有効性情報記憶部１２３に記憶されているか否かが、有効性判定部１１５によるクーポンが有効か否かの判定結果を表す。
【００５３】
判定結果送信部１１６は、有効性判定部１１５によるクーポンの有効性の判定結果を、クーポン適用要求の送信元であるユーザ端末２へ送信する。ユーザ端末２の受信部２１２は、判定結果を、特典提供装置１から受信する。ユーザ端末２は、受信部２１２が判定結果を受信した場合に、決済用コードを読み取るためのコード読み取り画面を、表示部２４上に表示する。
【００５４】
図７（ａ）、図７（ｂ）は、コード読み取り画面を表示しているユーザ端末２の正面図である。コード読み取り画面は、判定結果２４３と、読み取り枠２４４とを含む。判定結果２４３は、特典提供装置１の有効性判定部１１５によるクーポンが有効か否かの判定結果を表す情報である。図７（ａ）はクーポンが有効であると判定された場合のコード読み取り画面を示しているため、判定結果２４３はクーポンが有効である旨を表している。一方、図７（ｂ）はクーポンが有効でないと判定された場合のコード読み取り画面を示しているため、判定結果２４３はクーポンが有効でない旨を表している。
【００５５】
読み取り枠２４４は、撮像部２５が撮像している画像上に重畳して表示されている、決済用コードを読み取り可能な領域を表す枠である。ユーザは、決済を行う場合に、店舗端末３に表示された決済用コードが読み取り枠２４４に入るように調整する。ユーザ端末２において、コード読取部２１３は、店舗端末３に表示された決済用コードを、撮像部２５を用いて読み取る。コード読取部２１３は、読み取った決済用コードを所定の方法で復号することによって、決済用コードが示す決済用トークンを取得する。送信部２１１は、ユーザ端末２に関連付けられたユーザＩＤと、コード読取部２１３が取得した決済用トークンとを含む決済要求を、特典提供装置１へ送信する。
【００５６】
本実施形態では、ユーザ端末２は、店舗端末３に表示された決済用コードを読み取る前にユーザによるクーポンの選択を受け付けているが、店舗端末３に表示された決済用コードを読み取った後にユーザによるクーポンの選択を受け付けてもよい。この場合には、ユーザ端末２は、店舗端末３に表示された決済用コードを読み取ったことを契機として、図６のクーポン選択画面を表示してクーポンの選択を受け付け、クーポン適用要求を特典提供装置１へ送信する。その後、ユーザ端末２は、特典提供装置１から判定結果を受信したことを契機として、決済要求を特典提供装置１へ送信する。このように、特典提供装置１は、ユーザ端末２が決済用コードを読み取る前と読み取った後との少なくとも一方において、ユーザによるクーポンの選択を受け付けることができる。
【００５７】
特典提供装置１において、決済要求受信部１１７は、決済要求をユーザ端末２から受信する。決済要求受信部１１７は、受信した決済要求が含む決済用トークンを、トークン記憶部１２２から検索する。決済要求受信部１１７は、決済要求が含む決済用トークンをトークン記憶部１２２上で発見した場合に、トークン記憶部１２２において決済要求が含む決済用トークンに対応する店舗ＩＤ及び決済情報を特定する。決済要求受信部１１７は、受信した決済要求が含む決済用トークンをトークン記憶部１２２上で発見できなかった場合に、決済を実行せずに処理を終了する。
【００５８】
また、決済要求受信部１１７は、受信した決済要求が含むユーザＩＤを、有効性情報記憶部１２３から検索する。決済要求受信部１１７は、決済要求が含むユーザＩＤを、有効性情報記憶部１２３上で発見した場合（すなわち、有効性情報記憶部１２３にユーザＩＤ及びクーポンＩＤの組が記憶されている場合）に、有効性情報記憶部１２３において決済要求が含むユーザＩＤに対応するクーポンＩＤを特定する。決済要求受信部１１７は、決済要求が含むユーザＩＤに対応するクーポンＩＤを特定できない場合（すなわち、有効性情報記憶部１２３にユーザＩＤ及びクーポンＩＤの組が記憶されていない場合）に、クーポンを適用せずに決済実行部１１９による決済の実行に進む。
【００５９】
決済要求受信部１１７が決済要求に基づいて店舗ＩＤ、決済情報及びクーポンＩＤを特定した場合に、有効性判定部１１５は、決済要求が含むユーザＩＤに対応するクーポンＩＤに基づいて、クーポンが有効であるか否かを再判定する。決済要求が含むユーザＩＤが複数のクーポンＩＤに対応する場合には、有効性判定部１１５は、複数のクーポンＩＤそれぞれが有効であるか否かを再判定する。
【００６０】
具体的には、有効性判定部１１５は、クーポン記憶部１２１から、決済要求が含むユーザＩＤ及び決済要求が含むユーザＩＤに対応するクーポンＩＤに関連付けられたクーポン情報を取得する。有効性判定部１１５は、ユーザＩＤ及びクーポンＩＤに関連付けられたクーポン情報がクーポン記憶部１２１に記憶されていない場合に、クーポンが有効でないと判定する。また、有効性判定部１１５は、クーポン情報が含む利用可否が、クーポンが利用可能でないと示している場合に、クーポンが有効でないと判定する。また、有効性判定部１１５は、現在時刻が、クーポン情報が含む有効期限の範囲外である場合に、クーポンが有効でないと判定する。また、有効性判定部１１５は、決済要求が含む決済用トークンに対応する店舗ＩＤが、クーポン情報が含む店舗ＩＤに含まれていない場合に、クーポンが有効でないと判定する。
【００６１】
有効性判定部１１５は、ユーザＩＤ及びクーポンＩＤに関連付けられたクーポン情報がクーポン記憶部１２１に記憶されており、かつクーポン情報が含む利用可否が、クーポンが利用可能であると示しており、かつ現在時刻（再判定時の時刻）が、クーポン情報が含む有効期限の範囲内であり、かつ決済要求が含む決済用トークンに対応する店舗ＩＤが、クーポン情報が含む店舗ＩＤに含まれている場合に、クーポンが有効であると判定する。ここに示したクーポンの有効性の判定基準は一例であり、有効性判定部１１５はその他の判定基準によってクーポンが有効であるか否かを判定してもよい。有効性判定部１１５は、利用可否、有効期限及び店舗ＩＤのうち一部のみを判定に用いてもよい。
【００６２】
有効性判定部１１５は、クーポンが有効でないと判定した場合に、決済を実行せずに処理を終了してもよく、あるいはクーポンを適用せずに決済実行部１１９による決済の実行に進んでもよい。
【００６３】
このように、特典提供装置１は、ユーザ端末２からクーポン適用要求を受信した際にクーポンの有効性を判定した後、ユーザ端末２から決済要求を受信した際にクーポンの有効性を再判定する。そして特典提供装置１は、クーポン適用要求受信部１１４がクーポン適用要求を受信した際、及び、決済要求受信部１１７が決済要求を受信した際ともに、クーポンが有効であると有効性判定部１１５が判定した場合に、クーポンによる特典をユーザに提供する。これにより、例えばユーザがクーポンを選択した際にクーポンが有効であって、商品を購入する際にクーポンが無効になった場合（有効期限を徒過した場合等）であっても、特典提供装置１はクーポンの利用条件を正しく判定してクーポンを適用した決済を行うことができる。ユーザ端末２から決済要求を受信した際の有効性判定部１１５による再判定は、省略されてもよい。
【００６４】
本実施形態では、ユーザ端末２は、ユーザＩＤ及び決済用トークンを含む決済要求を送信しているが、クーポンＩＤ及び決済用トークンを含む決済要求を送信してもよい。この場合には、決済要求受信部１１７は、受信した決済要求が含むクーポンＩＤを、有効性情報記憶部１２３から検索する。決済要求受信部１１７は、決済要求が含むクーポンＩＤを、有効性情報記憶部１２３上で発見した場合に、有効性情報記憶部１２３において決済要求が含むクーポンＩＤに対応するユーザＩＤを特定する。そして有効性判定部１１５は、決済要求が含むクーポンＩＤ及び決済要求が含むクーポンＩＤに対応するユーザＩＤを用いて、クーポンの有効性を判定する。このように、特典提供装置１は、ユーザＩＤ及びクーポンＩＤの少なくとも一方を含む決済要求を受信することによって、クーポンの有効性を判定できる。
【００６５】
クーポンが有効であると有効性判定部１１５が判定した場合に、特典提供部１１８は、クーポン記憶部１２１から取得した、ユーザＩＤ及びクーポンＩＤに関連付けられたクーポン情報に含まれる特典を特定する。そして特典提供部１１８は、特定した特典を、決済要求が含むユーザＩＤ又は決済要求が含むクーポンＩＤに対応するユーザＩＤのユーザに提供する。クーポンによる特典が景品の提供又はポイントの付与である場合には、特典提供部１１８は、ユーザに対して景品の提供又はポイントの付与を行うための情報を出力する。クーポンによる特典が商品の代金の値引きである場合には、特典提供部１１８は、決済要求が含む決済用トークンに対応する決済情報の決済金額（決済対象の商品の価格）から、クーポンによる値引き金額を減算する。
【００６６】
決済実行部１１９は、決済要求が含む決済用トークンに対応する決済情報の決済金額（あるいはクーポンによる値引きが適用された決済金額）を、決済サーバ４へ送信することによって、決済を実行する。決済サーバ４は、特典提供装置１から受信した決済金額が、ユーザが支払い可能な残高（例えばクレジット残高又はプリペイド残高）の範囲内である場合に決済処理をし、そうでない場合に決済処理をしない。
【００６７】
決済サーバ４は、決済をしたか否かを示す決済結果を特典提供装置１へ送信する。特典提供装置１の決済実行部１１９は、決済サーバ４から決済結果を受信し、店舗端末３へ通知する。店舗端末３の受信部３１３は、特典提供装置１から決済結果を受信し、記憶部３２に記憶させる。
【００６８】
さらに決済実行部１１９は、店舗端末３を管理する店舗に対する手数料を算出してもよい。手数料は、特典提供装置１を利用して決済を行うために、店舗端末３を管理する店舗が特典提供装置１を管理する事業者へ支払う料金である。手数料は、例えば決済金額に所定の係数を乗算することによって算出される。このとき決済実行部１１９は、特典提供部１１８が決済金額（決済対象の商品の価格）からクーポンによる値引き金額を減算した場合に、減算後の決済金額に基づいて手数料を算出する。一方、決済実行部１１９は、特典提供部１１８が決済金額からクーポンによる値引き金額を減算していない場合に、元の決済金額に基づいて手数料を算出する。決済実行部１１９は、算出した手数料を示す情報を、記憶部１２に記憶させること又は店舗端末３へ送信することによって、出力する。これにより特典提供装置１は、クーポンによる値引き金額を自動的に反映して、店舗が事業者へ支払う手数料を正しく算出できる。
【００６９】
［決済方法のシーケンス］
図８は、本実施形態に係る決済システムＳが実行する決済方法（情報処理方法）のシーケンス図である。店舗端末３において、商品情報取得部３１１は、ユーザが購入したい商品の価格を含む商品情報を取得する（Ｓ１１）。送信部３１２は、商品情報取得部３１１が取得した商品情報に基づいて商品の価格を合計して決済金額を算出し、算出した決済金額を示す決済情報と、店舗端末３を管理する店舗の店舗ＩＤとを含む決済用トークン要求を、特典提供装置１へ送信する（Ｓ１２）。
【００７０】
特典提供装置１において、決済用トークン要求受信部１１１は、決済用トークン要求を店舗端末３から受信する。決済用トークン要求受信部１１１が決済用トークン要求を受信したことを条件として、トークン生成部１１２は、決済用トークンを生成する（Ｓ１３）。トークン生成部１１２は、決済用トークン要求が含む店舗ＩＤ及び決済情報と、生成した決済用トークンとを関連付けてトークン記憶部１２２に記憶させる。トークン送信部１１３は、トークン生成部１１２が生成した決済用トークンを店舗端末３へ送信する。店舗端末３の受信部３１３は、特典提供装置１から受信した決済用トークンを所定の方法で符号化することによって、決済用コードを生成する。そして受信部３１３は、生成した決済用コードを、表示部３３に表示させる（Ｓ１４）。
【００７１】
ユーザ端末２は、操作部２３を用いて、ユーザによるクーポンの選択を受け付ける（Ｓ１５）。ユーザ端末２の送信部２１１は、ユーザ端末２に関連付けられたユーザＩＤと、ユーザによって選択されたクーポンに関連付けられたクーポンＩＤとを含むクーポン適用要求を、特典提供装置１へ送信する（Ｓ１６）。特典提供装置１において、クーポン適用要求受信部１１４は、クーポン適用要求をユーザ端末２から受信する。有効性判定部１１５は、クーポン適用要求受信部１１４が受信したクーポン適用要求が含むユーザＩＤ及びクーポンＩＤを特定する。有効性判定部１１５は、特定したユーザＩＤ及びクーポンＩＤに基づいて、クーポンが有効であるか否かを判定する（Ｓ１７）。有効性判定部１１５は、クーポンが有効であると判定した場合に、ユーザＩＤとクーポンＩＤとを関連付けた有効性情報を、有効性情報記憶部１２３に記憶させる。
【００７２】
判定結果送信部１１６は、有効性判定部１１５によるクーポンの有効性の判定結果を、クーポン適用要求の送信元であるユーザ端末２へ送信する。ユーザ端末２において、受信部２１２は、判定結果を、特典提供装置１から受信し、表示部２４に表示させる。コード読取部２１３は、店舗端末３に表示された決済用コードを、撮像部２５を用いて読み取る（Ｓ１８）。コード読取部２１３は、読み取った決済用コードを所定の方法で復号することによって、決済用コードが示す決済用トークンを取得する。送信部２１１は、ユーザ端末２に関連付けられたユーザＩＤと、コード読取部２１３が取得した決済用トークンとを含む決済要求を、特典提供装置１へ送信する（Ｓ１９）。
【００７３】
特典提供装置１において、決済要求受信部１１７は、決済要求をユーザ端末２から受信する。決済要求受信部１１７は、受信した決済要求が含む決済用トークンを、トークン記憶部１２２から検索する。決済要求受信部１１７は、決済要求が含む決済用トークンをトークン記憶部１２２上で発見した場合に、トークン記憶部１２２において決済要求が含む決済用トークンに対応する店舗ＩＤ及び決済情報を特定する。決済要求受信部１１７は、受信した決済要求が含む決済用トークンをトークン記憶部１２２上で発見できなかった場合に、決済を実行せずに処理を終了する。
【００７４】
また、決済要求受信部１１７は、受信した決済要求が含むユーザＩＤを、有効性情報記憶部１２３から検索する。決済要求受信部１１７は、決済要求が含むユーザＩＤを、有効性情報記憶部１２３上で発見した場合に、有効性情報記憶部１２３において決済要求が含むユーザＩＤに対応するクーポンＩＤを特定する。決済要求受信部１１７は、決済要求が含むユーザＩＤに対応するクーポンＩＤを特定できない場合に、クーポンを適用せずにステップＳ２２の決済実行部１１９による決済の実行に進む。
【００７５】
決済要求受信部１１７が決済要求に基づいて店舗ＩＤ、決済情報及びクーポンＩＤを特定した場合に、有効性判定部１１５は、決済要求が含むユーザＩＤに対応するクーポンＩＤに基づいて、クーポンが有効であるか否かを再判定する（Ｓ２０）。ステップＳ２０の再判定は省略されてもよい。有効性判定部１１５は、クーポンが有効でないと判定した場合に、決済を実行せずに処理を終了してもよく、あるいはクーポンを適用せずにステップＳ２２の決済実行部１１９による決済の実行に進んでもよい。クーポンが有効であると有効性判定部１１５が判定した場合に、特典提供部１１８は、クーポン記憶部１２１から取得した、決済要求が含むユーザＩＤ及び決済要求が含むユーザＩＤに対応するクーポンＩＤに関連付けられたクーポン情報に含まれる特典を特定する。そして特典提供部１１８は、特定した特典を、決済要求が含むユーザＩＤのユーザに提供する（Ｓ２１）。
【００７６】
決済実行部１１９は、決済要求が含む決済用トークンに対応する決済情報の決済金額（あるいはクーポンによる値引きが適用された決済金額）を、決済サーバ４へ送信することによって、決済を実行する（Ｓ２２）。決済サーバ４は、特典提供装置１から受信した決済金額が、ユーザが支払い可能な残高（例えばクレジット残高又はプリペイド残高）の範囲内である場合に決済処理をし、そうでない場合に決済処理をしない。決済サーバ４は、決済をしたか否かを示す決済結果を特典提供装置１へ送信する。特典提供装置１の決済実行部１１９は、決済サーバ４から決済結果を受信し、店舗端末３へ通知する。店舗端末３の受信部３１３は、特典提供装置１から決済結果を受信し、記憶部３２に記憶させる。
【００７７】
［実施形態の効果］
本実施形態に係る決済システムＳによれば、特典提供装置１は、ユーザ端末２からクーポン適用要求を受信した際にクーポンの有効性を判定した上でユーザＩＤ及びクーポンＩＤを関連付けて有効性情報記憶部１２３に記憶させ、ユーザ端末２からユーザＩＤ及びクーポンＩＤの少なくとも一方を含む決済要求を受信した際に、有効性情報記憶部１２３にユーザＩＤ及びクーポンＩＤの少なくとも一方が記憶されていることを条件として、クーポンの特典をユーザに提供する。そのため、決済システムＳは、店舗端末３の処理負担を軽減でき、店舗端末３の処理性能を向上させるためのコストが必要ない。また、店舗の管理者は、店舗端末３にクーポンの情報を登録する必要がないため、店舗の管理者の管理負担を軽減できる。
【００７８】
［第１変形例］
特典提供装置１は、ユーザが購入する商品に基づいて、クーポンが有効であるか否かを判定してもよい。この場合に、図４（ａ）に示すクーポン情報Ｄ１は、クーポンの適用対象である商品を識別するための商品ＩＤ（商品識別情報）をさらに含む。商品ＩＤは、商品ごとに固有の識別情報、又は商品の種類（品目）に対して割り振られた識別情報である。クーポン情報Ｄ１は、複数の商品ＩＤを含んでもよい。商品によらず利用可能なクーポンについては、商品ＩＤは省略される。また、図４（ｂ）に示すトークン情報Ｄ２は、決済対象の商品の商品ＩＤをさらに含む。
【００７９】
店舗端末３において、商品情報取得部３１１が商品情報を取得した後、送信部３１２は、決済金額を含む決済情報と、店舗端末３を管理する店舗の店舗ＩＤと、決済対象の商品の商品ＩＤとを含む決済用トークン要求を、特典提供装置１へ送信する。特典提供装置１において、トークン生成部１１２は、決済用トークン要求が含む決済情報、店舗ＩＤ及び商品ＩＤと、生成した決済用トークンとを関連付けてトークン記憶部１２２に記憶させる。
【００８０】
決済要求受信部１１７がユーザ端末２から決済要求を受信した際に、有効性判定部１１５は、トークン記憶部１２２において、決済要求が含む決済用トークンに対応する商品ＩＤを特定する。そして有効性判定部１１５は、上述の利用可否、有効期限及び店舗ＩＤを用いた判定に加えて、商品ＩＤを用いた判定を行う。具体的には、有効性判定部１１５は、決済要求が含む決済用トークンに対応する商品ＩＤが、クーポン情報が含む商品ＩＤに含まれていない場合に、クーポンが有効でないと判定する。
【００８１】
有効性判定部１１５は、ユーザＩＤ及びクーポンＩＤに関連付けられたクーポン情報がクーポン記憶部１２１に記憶されており、かつクーポン情報が含む利用可否が、クーポンが利用可能であると示しており、かつ現在時刻が、クーポン情報が含む有効期限の範囲内であり、かつ決済要求が含む店舗ＩＤが、クーポン情報が含む店舗ＩＤに含まれており、かつ決済要求が含む決済用トークンに対応する商品ＩＤが、クーポン情報が含む商品ＩＤに含まれている場合に、クーポンが有効であると判定する。有効性判定部１１５は、利用可否、有効期限、店舗ＩＤ及び商品ＩＤのうち一部のみを判定に用いてもよい。このような構成により、特典提供装置１は、決済対象の商品に基づいて、クーポンの適用可否を判定することができる。
【００８２】
［第２変形例］
以上の説明において、ユーザ端末２は、店舗端末３が動的に生成した決済用コードを読み込んで決済を行っているが、店舗から提示された静的な決済用コード（例えば印刷された決済用コード）を読み込んで決済を行ってもよい。図９は、本変形例に係る決済方法（情報処理方法）のシーケンス図である。以下では図８のシーケンス図と異なる点を主に説明する。本変形例において、ステップＳ１４以前の処理は行われず、ステップＳ１５〜Ｓ１７の処理は図８のシーケンス図と同様である。
【００８３】
ユーザ端末２において、受信部２１２は、判定結果を、特典提供装置１から受信し、表示部２４に表示させる。コード読取部２１３は、店舗から提示された決済用コードを、撮像部２５を用いて読み取る（Ｓ１８ａ）。決済用コードは、特典提供装置１によって予め生成され、店舗ＩＤを関連付けて記憶された決済用トークンを示している。コード読取部２１３は、読み取った決済用コードを所定の方法で復号することによって、決済用コードが示す決済用トークンを取得する。さらにコード読取部２１３は、決済用トークンを取得した後、決済金額を入力するための画面を表示部２４に表示させる。ユーザは、ユーザ端末２の操作部２３を用いて、画面上で決済金額を入力する。
【００８４】
決済用トークンは、特典提供装置１において、決済金額と予め関連付けられて生成されてもよい。この場合には、ユーザ端末２上での決済金額の入力は行われない。決済用トークンは、特典提供装置１において、商品ＩＤと予め関連付けられて生成されてもよい。これにより特典提供装置１は、第１変形例と同様に商品ＩＤを用いてクーポンの有効性の判定を行うことができる。
【００８５】
ユーザが決済金額を入力した後、送信部２１１は、ユーザ端末２に関連付けられたユーザＩＤと、コード読取部２１３が取得した決済用トークンと、ユーザが入力した決済金額とを含む決済要求を、特典提供装置１へ送信する（Ｓ１９ａ）。特典提供装置１において、決済要求受信部１１７は、決済要求をユーザ端末２から受信する。特典提供装置１は、トークン記憶部１２２に記憶された決済金額に代えて、決済要求が示す決済金額を、決済に用いる。ステップＳ２０以降の処理は、図８のシーケンス図と同様である。これにより、本変形例では、店舗端末３は動的に決済用コードを生成する処理を行う必要がなく、特典提供装置１はユーザが入力した決済金額を用いて決済を行うことができる。
【００８６】
［第３変形例］
以上の説明において、特典提供装置１は、ユーザがユーザ端末２において選択したクーポンを決済に用いているが、特典提供装置１がユーザに付与されているクーポンを特定して決済に用いてもよい。図１０は、本変形例に係る決済方法（情報処理方法）のシーケンス図である。以下では図８のシーケンス図と異なる点を主に説明する。ステップＳ１４以前の処理は、図８のシーケンス図と同様である。ユーザ端末２において、送信部２１１は、ユーザによるクーポンの選択を受け付けることなく、ユーザ端末２に関連付けられたユーザＩＤを含むクーポン適用要求を、特典提供装置１へ送信する（Ｓ１６ａ）。
【００８７】
特典提供装置１において、クーポン適用要求受信部１１４は、クーポン適用要求をユーザ端末２から受信する。有効性判定部１１５は、クーポン記憶部１２１において、クーポン適用要求受信部１１４が受信したクーポン適用要求が含むユーザＩＤに関連付けられたクーポンＩＤ（すなわユーザに付与されているクーポン）を特定する（Ｓ１６ｂ）。クーポン記憶部１２１においてユーザＩＤに関連付けられたクーポンＩＤが存在した場合に、有効性判定部１１５は、ユーザＩＤ及びクーポンＩＤに基づいて、クーポンが有効であるか否かを判定する（Ｓ１７ａ）。クーポン記憶部１２１においてユーザＩＤに関連付けられたクーポンＩＤが存在しない場合、又はクーポンが有効でないと有効性判定部１１５が判定した場合に、判定結果送信部１１６は、有効なクーポンが存在しないことを示す判定結果を、ユーザ端末２へ送信する。
【００８８】
有効性判定部１１５は、クーポンが有効であると判定した場合に、ユーザＩＤとクーポンＩＤとを関連付けた有効性情報を、有効性情報記憶部１２３に記憶させる。そして判定結果送信部１１６は、有効なクーポンのクーポン情報を示す判定結果を、ユーザ端末２へ送信する。ユーザ端末２において、受信部２１２は、特典提供装置１から受信した判定結果が示すクーポン情報を、表示部２４に表示させる。ステップＳ１８以降の処理は、図８のシーケンス図と同様である。このように本変形例に係る決済方法では、特典提供装置１は、ユーザによるクーポンの選択を受け付けることなく、ユーザに付与されているクーポンを特定して自動的に決済に適用できる。
【００８９】
ユーザ端末２は、受信部２１２が有効なクーポンのクーポン情報を示す判定結果を受信した場合に、該クーポンを適用するか否かの選択をユーザから受け付けてもよい。この場合に、ステップＳ２１において、特典提供装置１の特典提供部１１８は、ユーザが適用すると選択したクーポンの特典のみをユーザに提供する。これにより、特典提供装置１は、ユーザに付与されているクーポンを特定した後、該クーポンを適用するか否かの選択をユーザから受け付けた上で、決済に適用できる。
【００９０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００９１】
特典提供装置１、ユーザ端末２、店舗端末３及び決済サーバ４のプロセッサは、図８〜図１０に示す決済方法に含まれる各ステップ（工程）の主体となる。すなわち、特典提供装置１、ユーザ端末２、店舗端末３及び決済サーバ４のプロセッサは、図８〜図１０に示す決済方法を実行するためのプログラムを記憶部から読み出し、該プログラムを実行して決済システムＳの各部を制御することによって、図８〜図１０に示す決済方法を実行する。図８〜図１０に示す決済方法に含まれるステップは一部省略されてもよく、ステップ間の順番が変更されてもよく、複数のステップが並行して行われてもよい。
【符号の説明】
【００９２】
Ｓ  決済システム
１  特典提供装置
１１４  クーポン適用要求受信部
１１５  有効性判定部
１１７  決済要求受信部
１１８  特典提供部
【図１】
2020154682.tif 000003
【図２】
2020154682.tif 000004
【図３】
2020154682.tif 000005
【図４】
2020154682.tif 000006
【図５】
2020154682.tif 000007
【図６】
2020154682.tif 000008
【図７】
2020154682.tif 000009
【図８】
2020154682.tif 000010
【図９】
2020154682.tif 000011
【図１０】
2020154682.tif 000012